Podtech/llm-jp-corpus-v4-ja_patent huggingface dataset:
【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
像担持体と、前記像担持体を一様に帯電する帯電手段と、一様に帯電された前記像担持体に対し画像データに基づいた露光を行う露光手段と、前記露光手段の露光により前記像担持体上に形成された静電潜像を現像剤担持体により搬送された現像剤を用いて現像する現像手段とを備えた画像形成装置において、
画像データ上の画素のデータ値に対し、該画素よりも副走査方向下流側に位置する画素のデータ値に基づいた演算を行い、その演算結果に応じて画像データに補正を行う演算手段を備えたことを特徴とする画像形成装置。
【請求項２】
前記演算手段は、画像データ上の対象とする画素のデータ値と、該画素よりも演算で決まる間隔だけ副走査方向下流側に位置する特定の画素のデータ値を比較して、対象画素のデータ値＞下流側の特定画素のデータ値、である場合に、補正を行う領域とデータ値に対する補正量を演算することを特徴とする請求項１に記載の画像形成装置。
【請求項３】
前記補正を行う領域の演算において、補正対象とした画素の補正後のデータ値と、該画素よりも演算で決まる間隔だけ副走査方向上流側に位置する特定の画素のデータ値を比較して、補正対象画素の補正後のデータ値＜上流側の特定画素のデータ値、である場合に、上流側の特定画素をさらに補正領域とする再補正処理を繰り返し、補正の影響により新たに別の画素に発生する濃度変動を補正することを特徴とする請求項１又は２に記載の画像形成装置。
【請求項４】
前記再補正処理の繰り返し回数が少なくとも４回以下であることを特徴とする請求項３に記載の画像形成装置。
【請求項５】
前記再補正処理の繰り返し回数は、少なくとも２回以下であることを特徴とする請求項４に記載の画像形成装置。
【請求項６】
前記補正を行う領域の演算において、演算で決まる間隔だけ副走査方向下流側に位置する画素のデータ値よりも大きなデータ値を有する画素が主走査方向に幾つか連続する場合、主走査方向に関して所定の間隔毎に、前記再補正処理の繰り返し回数を異なる回数にすることを特徴とする請求項３〜５のいずれかの項に記載の画像形成装置。
【請求項７】
前記再補正処理の繰り返し回数を異なる回数にする主走査方向の所定の間隔が少なくとも１５０［μｍ］以下であることを特徴とする請求項３〜６のいずれかの項に記載の画像形成装置。
【請求項８】
前記再補正処理の繰り返し回数を異なる回数にする主走査方向の所定の間隔は、少なくとも１００［μｍ］以下であることを特徴とする請求項７に記載の画像形成装置。
【請求項９】
前記補正量の演算は、補正対象の画素のデータ値と、該画素よりも演算で決まる間隔だけ副走査方向下流側に位置する画素のデータ値と、装置のプロセス条件を含む画像形成条件とから補正対象の画素に発生する過剰な現像量を予測し、補正量を決定することを特徴とする請求項１〜８のいずれかの項に記載の画像形成装置。
【請求項１０】
前記演算手段において演算で決まる間隔は、対象とする画素のデータ値と、装置のプロセス条件を含む画像形成条件とに基づき演算されることを特徴とする請求項１〜９のいずれかの項に記載の画像形成装置。
【請求項１１】
前記演算で決まる間隔において、間隔の演算に用いられる装置のプロセス条件に、前記像担持体と前記現像剤担持体の間に印加された電圧と、前記像担持体及び前記現像剤担持体の運動速度と、前記像担持体上の静電潜像を現像する領域の幅とを含むことを特徴とする請求項１〜１０のいずれかの項に記載の画像形成装置。
【請求項１２】
前記像担持体と前記現像剤担持体の運動速度の関係が、像担持体速度≦現像剤担持体速度、であることを特徴とする請求項１〜１１のいずれかの項に記載の画像形成装置。
【請求項１３】
前記像担持体と前記現像剤担持体が接触或いは近接しており、その間隔が少なくとも２００［μｍ］以下であることを特徴とする請求項１〜１２のいずれかの項に記載の画像形成装置。
【請求項１４】
前記像担持体と前記現像剤担持体との間隔は、少なくとも５０［μｍ］以下であることを特徴とする請求項１３に記載の画像形成装置。
【請求項１５】
前記画像データへの補正を露光に反映する手段が露光時間または露光量の制御であることを特徴とする請求項１〜１４のいずれかの項に記載の画像形成装置。
【手続補正２】
【補正対象書類名】明細書
【補正対象項目名】００１０
【補正方法】変更
【補正の内容】
【００１０】
上記目的は本発明に係る画像形成装置にて達成される。要約すれば、本発明は、像担持体と、前記像担持体を一様に帯電する帯電手段と、一様に帯電された前記像担持体に対し画像データに基づいた露光を行う露光手段と、前記露光手段の露光により前記像担持体上に形成された静電潜像を現像剤担持体により搬送された現像剤を用いて現像する現像手段とを備えた画像形成装置において、
画像データ上の画素のデータ値に対し、該画素よりも副走査方向下流側に位置する画素のデータ値に基づいた演算を行い、その演算結果に応じて画像データに補正を行う演算手段を備えたことを特徴とする画像形成装置である。
【手続補正書】
【提出日】平成21年6月30日(2009.6.30)
【手続補正１】
【補正対象書類名】特許請求の範囲
【補正対象項目名】請求項９
【補正方法】変更
【補正の内容】
【請求項９】
請求項１記載の医薬組成物のうち、
(2Z)-N-(2-アミノ-2-オキソエチル)-2-{4,4,7-トリフルオロ-1-[4-{[(2R)-2-フルオロプロピル]オキシ}-2-(トリフルオロメチル)ベンゾイル]-1,2,3,4-テトラヒドロ-5H-1-ベンゾアゼピン-5-イリデン}アセトアミド、
(2Z)-N-(2-ヒドロキシエチル)-2-{4,4,7-トリフルオロ-1-[4-{[(2S)-2-フルオロプロピル]オキシ}-2-(トリフルオロメチル)ベンゾイル]-1,2,3,4-テトラヒドロ-5H-1-ベンゾアゼピン-5-イリデン}アセトアミド、
(2Z)-N-(2-ヒドロキシエチル)-2-{4,4,7-トリフルオロ-1-[4-{[(2R)-2-フルオロプロピル]オキシ}-2-(トリフルオロメチル)ベンゾイル]-1,2,3,4-テトラヒドロ-5H-1-ベンゾアゼピン-5-イリデン}アセトアミド、
(2Z)-2-{4,4-ジフルオロ-1-[4-{[(2R)-2-フルオロプロピル]オキシ}-2-(トリフルオロメチル)ベンゾイル]-1,2,3,4-テトラヒドロ-5H-1-ベンゾアゼピン-5-イリデン}-N-[(2S)-2,3-ジヒドロキシプロピル]アセトアミド、
3-[((2Z)-2-{4,4,7-トリフルオロ-1-[4-{[(2R)-2-フルオロプロピル]オキシ}-2-(トリフルオロメチル)ベンゾイル]-1,2,3,4-テトラヒドロ-5H-1-ベンゾアゼピン-5-イリデン}アセチル)アミノ]プロパンアミド、
(2Z)-N-[(2R)-2,3-ジヒドロキシプロピル]-2-{4,4,7-トリフルオロ-1-[4-{[(2R)-2-フルオロプロピル]オキシ}-2-(トリフルオロメチル)ベンゾイル]-1,2,3,4-テトラヒドロ-5H-1-ベンゾアゼピン-5-イリデン}アセトアミド、
(2Z)-N-(2-アミノ-2-オキソエチル)-2-{4,4,7-トリフルオロ-1-[4-{[(2S)-2-フルオロプロピル]オキシ}-2-(トリフルオロメチル)ベンゾイル]-1,2,3,4-テトラヒドロ-5H-1-ベンゾアゼピン-5-イリデン}アセトアミド、
(2Z)-2-{1-[4-(2,2-ジフルオロプロポキシ)-2-(トリフルオロメチル)ベンゾイル]-4,4-ジフルオロ-1,2,3,4-テトラヒドロ-5H-1-ベンゾアゼピン-5-イリデン}-N-(2-ヒドロキシエチル)アセトアミド、
(2Z)-2-{4,4-ジフルオロ-1-[4-{[(2S)-2-フルオロプロピル]オキシ}-2-(トリフルオロメチル)ベンゾイル]-1,2,3,4-テトラヒドロ-5H-1-ベンゾアゼピン-5-イリデン}-N-(2-ヒドロキシエチル)アセトアミド、
(2Z)-2-{4,4-ジフルオロ-1-[4-{[(2R)-2-フルオロプロピル]オキシ}-2-(トリフルオロメチル)ベンゾイル]-1,2,3,4-テトラヒドロ-5H-1-ベンゾアゼピン-5-イリデン}-N-(2-ヒドロキシエチル)アセトアミド、
(2Z)-2-{1-[4-(2,2-ジフルオロプロポキシ)-2-(トリフルオロメチル)ベンゾイル]-4,4,7-トリフルオロ-1,2,3,4-テトラヒドロ-5H-1-ベンゾアゼピン-5-イリデン}-N-(2-ヒドロキシエチル)アセトアミド、
(2Z)-N-[(2R)-2,3-ジヒドロキシプロピル]-2-{4,4,7-トリフルオロ-1-[4-プロポキシ-2-(トリフルオロメチル)ベンゾイル]-1,2,3,4-テトラヒドロ-5H-1-ベンゾアゼピン-5-イリデン}アセトアミド、
(2Z)-2-{4,4-ジフルオロ-1-[4-{[(2S)-2-フルオロプロピル]オキシ}-2-(トリフルオロメチル)ベンゾイル]-1,2,3,4-テトラヒドロ-5H-1-ベンゾアゼピン-5-イリデン}-N-[(2S)-2,3-ジヒドロキシプロピル]アセトアミド、
(2Z)-2-{4,4-ジフルオロ-1-[4-{[(2R)-2-フルオロプロピル]オキシ}-2-(トリフルオロメチル)ベンゾイル]-1,2,3,4-テトラヒドロ-5H-1-ベンゾアゼピン-5-イリデン}-N-[(2R)-2,3-ジヒドロキシプロピル]アセトアミド、
3-[((2Z)-2-{4,4,7-トリフルオロ-1-[4-{[(2S)-2-フルオロプロピル]オキシ}-2-(トリフルオロメチル)ベンゾイル]-1,2,3,4-テトラヒドロ-5H-1-ベンゾアゼピン-5-イリデン}アセチル)アミノ]プロパンアミド、
(2Z)-N-[(2R)-2,3-ジヒドロキシプロピル]-2-{4,4,7-トリフルオロ-1-[4-{[(2S)-2-フルオロプロピル]オキシ}-2-(トリフルオロメチル)ベンゾイル]-1,2,3,4-テトラヒドロ-5H-1-ベンゾアゼピン-5-イリデン}アセトアミド、
3-[((2Z)-2-{1-[4-(2,2-ジフルオロプロポキシ)-2-(トリフルオロメチル)ベンゾイル]-4,4,7-トリフルオロ-1,2,3,4-テトラヒドロ-5H-1-ベンゾアゼピン-5-イリデン}アセチル)アミノ]プロパンアミド、
(2Z)-2-{4,4-ジフルオロ-1-[4-プロポキシ-2-(トリフルオロメチル)ベンゾイル]-1,2,3,4-テトラヒドロ-5H-1-ベンゾアゼピン-5-イリデン}-N-[(2R)-2,3-ジヒドロキシプロピル]アセトアミド、若しくは、
(2Z)-2-{4,4-ジフルオロ-1-[4-プロポキシ-2-(トリフルオロメチル)ベンゾイル]-1,2,3,4-テトラヒドロ-5H-1-ベンゾアゼピン-5-イリデン}-N-[(2S)-2,3-ジヒドロキシプロピル]アセトアミド、
又はその製薬学的に許容される塩を有効成分とする医薬組成物。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
高温及び低温領域（２４０、２５０）を有する密閉熱形検出装置であって、
ＩＲセンサ素子（２００）であって、該ＩＲセンサ素子（２００）が、
（ａ）前記高温及び低温領域（２４０、２５０）にわたって配置され、かつ前記低温領域（２５０）における第１の端子（２２６）と定められた極性とを有する第１の熱電対（２２０）と、
（ｂ）前記高温及び低温領域（２４０、２５０）にわたって配置され、かつ前記低温領域（２５０）における第２の端子（２３６）と前記第１の熱電対（２２０）の極性と逆の極性とを有し、前記第１の熱電対（２２０）に直列に接続された第２の熱電対（２３０）とを備えるＩＲセンサ素子（２００）と、
前記高温領域（２４０）に配置されかつ前記第１及び第２の熱電対（２２０、２３０）と熱伝達関係にある熱吸収体（２８０）と、
前記ＩＲセンサ素子（２００）を支持する支持面（３２０）と非支持面（３１２）とを有する基部ヘッダ（３００）と、を含み、
前記非支持面（３１２）が前記支持面（３２０）から離れて配置され、前記非支持面（３１２）が前記ＩＲセンサ素子（２００）の反対側で前記基部ヘッダ（３００）に形成された空洞（３１０）内に形成され、
前記支持面（３２０）の一部分が、前記低温領域（２５０）の一部分に対向し、また前記非支持面（３１２）の一部分が、前記高温領域（２４０）の一部分に対向し、
キャップ（４００）が前記基部ヘッダ（３００）に取付けられて、前記ＩＲセンサ素子（２００）を封入した密閉ユニットを形成し、
前記空洞（３１０）が複数の側部チャネル（４９０）を備え、
該複数の側部チャネル（４９０）が、前記ＩＲセンサ素子（２００）の下方の充填ガスであって、前記キャップ４００と前記基部ヘッダ（３００）との間の充填ガスを混合する、
ことを特徴とする装置。
【請求項２】
前記支持面（３２０）と前記第１及び第２の熱電対（２２０、２３０）との間に配置されたダイアフラム（２７０）を更に含み、
前記ダイアフラム（２７０）の一部分が、前記非支持面（３１２）に対向するようになっている、
ことを特徴とする、請求項１に記載の装置。
【請求項３】
前記第１及び第２の熱電対（２２０、２３０）が、前記熱吸収体（２８０）において吸収された熱放射に応答して、前記第１及び第２の端子（２２６、２３６）において結合電気信号を発生し、
前記支持面（３２０）と前記非支持面（３１２）との間の約０．８ｍｍに等しい距離を有する該装置における前記結合電気信号が、前記支持面（３２０）と前記非支持面（３１２）との間の約ゼロｍｍに等しい距離を有する該装置における前記結合電気信号の約１．６５倍に等しいか又はそれよりも大きい、
ことを特徴とする、請求項１に記載の装置。
【請求項４】
前記空洞（３１０）の深さが、約０．１ｍｍに等しいか又はそれよりも大きく、かつ約１０ｍｍに等しいか又はそれよりも小さいことを特徴とする、請求項１に記載の装置。
【請求項５】
前記基部キャップ（４００）が前記高温領域（２４０）に近接して配置されたウインド（４２０）を有し、該ウインド（４２０）を通して熱放射を透過させる、請求項１に記載の装置。
【請求項６】
請求項１乃至５のいずれかに記載の装置を含む、
ことを特徴とする赤外線放射検出用装置。
【手続補正書】
【提出日】平成20年12月9日(2008.12.9)
【手続補正１】
【補正対象書類名】明細書
【補正対象項目名】０００５
【補正方法】変更
【補正の内容】
【０００５】
このため、最近では、所定の塗装条件で塗装したときに被塗物の表面に形成される塗膜の厚さを、コンピュータにより算出させ、採用可能な塗装条件を絞り込んで、最終的に２〜３回の塗装実験を行って塗装条件を決定するようにしている。
このようにすれば、実験のために使用する被塗物の数が少なくなるだけでなく、塗装実験の回数を減らし、比較的短時間で、手間もかけずに、低コストで最適な塗装条件を決定することができる。
【特許文献１】特開平９−７５８３９号公報
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
ｐＨが２．５〜４．５のレトルト処理されたタレ・ソース類であって、
膨潤度が６０以下で、アジピン酸基含量が０．０２０〜０．１３５重量％であるアセチル化アジピン酸架橋澱粉を含有することを特徴とするタレ・ソース類。
【請求項２】
前記澱粉が、ウルチ種コーンスターチ、ハイアミロースコーンスターチ、ワキシーコーンスターチ、サゴ澱粉、緑豆澱粉、小麦澱粉、米澱粉、馬鈴薯澱粉、甘藷澱粉、タピオカ澱粉から選ばれた少なくとも一種である、請求項１記載のタレ・ソース類。
【請求項３】
喫食時に、加熱調理又は加温調理して用いるものである、請求項１又は２に記載のタレ・ソース類。
【手続補正２】
【補正対象書類名】明細書
【補正対象項目名】０００８
【補正方法】変更
【補正の内容】
【０００８】
上記目的を達成するため、本発明のタレ・ソース類は、ｐＨが２．５〜４．５のレトルト処理されたタレ・ソース類であって、膨潤度が６０以下で、アジピン酸基含量が０．０２０〜０．１３５重量％であるアセチル化アジピン酸架橋澱粉を含有することを特徴とする。
【手続補正３】
【補正対象書類名】明細書
【補正対象項目名】０００９
【補正方法】変更
【補正の内容】
【０００９】
澱粉を含むタレ・ソース類は、ボディ感に富む食感を得ることができるものの、澱粉は、水存在下での加熱時に吸水して粒が膨潤し、その膨潤が物理的限界に達すると粒が崩壊する。崩壊が進むと粒は細分化され、やがて完全に消失する。澱粉粒が消失した状態では、粘度安定効果が得られ難くなり、さらにその後レトルト処理や加熱調理を行なうと著しく粘度が低下してしまう。
本発明によれば、タレ・ソース類に、膨潤度が６０以下で、アジピン酸基含量が０．０２０〜０．１３５重量％であるアセチル化アジピン酸架橋澱粉を含有させたことで、澱粉粒が消失せずに保持されるので、タレ・ソース類の粘度が、経時低下しにくくなり、粘度安定性が向上する。また、このアセチル化アジピン酸架橋澱粉は、耐酸性、耐熱性に優れているので、タレ・ソース類のｐＨを低下させたり、レトルト加熱などを施した場合であっても、粘度低下が生じにくく、様々な種類や用途のタレ・ソース類に好ましく用いることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
流体が供給される第１流路と、
前記第１流路に連通し、前記流体を脈動流にする流体室と、
前記流体室の一部を構成する第１ダイアフラムと、
前記第１ダイアフラムに貼着され、駆動することにより前記第１ダイアフラムが変形して前記流体室の容積を変更する第１圧電素子と、
前記流体室に連通し、前記脈動流が供給される第２流路と、
前記第２流路に連通し、前記第２流路に供給された前記脈動流を噴射する流体噴射開口部とを有し、
前記第１ダイアフラムの前記流体室側の面と、前記第１流路から前記第２流路への流路方向とが、平行であることを特徴とする脈動発生装置。
【請求項２】
前記第２流路のイナータンスは、前記第１流路のイナータンスよりも小さいことを特徴とする請求項１に記載の脈動発生装置。
【請求項３】
前記第１流路の流路方向に直交する面の断面積をＳ１、前記第１流路の流路の長さをｈ１、前記第２流路の流路方向に直交する面の断面積をＳ２、前記第２流路の流路の長さをｈ２とした場合、
ｈ２／Ｓ２＜ｈ１／Ｓ１
を満たすことを特徴とする請求項１または２に記載の脈動発生装置。
【請求項４】
前記流体室の一部を構成する第２ダイアフラムと、
前記第２ダイアフラムに貼着され、駆動することにより前記第２ダイアフラムが変形して前記流体室の容積を変更する第２圧電素子とを有することを特徴とする請求項１乃至３のいずれか一項に記載の脈動発生装置。
【請求項５】
前記第１ダイアフラムと前記第２ダイアフラムとが対向していることを特徴とする請求項４に記載の脈動発生装置。
【請求項６】
前記第１ダイアフラムと前記第２ダイアフラムとが平行であることを特徴とする請求項４または５に記載の脈動発生装置。
【請求項７】
請求項１乃至６のいずれか一項に記載の脈動発生装置を有することを特徴とする手術用器具。
【請求項８】
請求項１乃至６の何れか一項に記載の脈動発生装置と、
所定の圧力で前記流体を供給する流体供給部と、
前記流体供給部と前記第１流路とに接続された柔軟性を有するチューブ部とを有し、
前記流体供給部にて供給された流体は、前記チューブ部を介して前記第１流路に供給されることを特徴とする流体噴射装置。
【請求項９】
請求項８に記載の流体噴射装置を有することを特徴とする手術用器具。
【手続補正２】
【補正対象書類名】明細書
【補正対象項目名】発明の名称
【補正方法】変更
【補正の内容】
【発明の名称】脈動発生装置、流体噴射装置および手術用器具
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
遊技者による遊技操作に応じて抽選を行い、該抽選に当選すると遊技者に特典を付与する遊技機であって、 前記抽選の当選確率は、３個以上の所定値のうちのいずれかの値をとるものであって、 所定の入力手段からの入力に応じて、当選確率を現在の当選確率から前記３個以上の所定値のうちのいずれかに設定する確率設定手段を備え、 前記入力手段は、前記確率設定手段により設定されている前記当選確率の設定値を変更する操作を行うためのスイッチを備え、前記設定値の変更に要する前記スイッチの操作回数を不定に異ならせたことを特徴とする遊技機。
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
筒状の移植片本体区画と、
該筒状の移植片本体区画から延びると共に該筒状の移植片本体区画に固定されている半径方向に拡開可能なステントとを含み、該ステントは、近位端部と、遠位端部と、複数の支柱および頂点を備えるよう形成された蛇行リングとを有しており、
さらに、
隣接する近位側頂点から遠位に在る支柱の位置から遠位に延びる前記各支柱の延長部として一体的に形成された少なくとも一つの逆棘を含む、血管内移植片。
【請求項２】
前記一体的に形成された少なくとも一つの前記逆棘は、拡開状態において、該逆棘が拡開されるルーメンの軸線に対してほぼ平行に遠位に延びて、前記血管内移植片が拡開される身体通路に部分的に貫通すると共に、遠位方向を向いた血液流れのために前記血管内移植片が軸方向に移動するのを防止するように形成されている、請求項１に記載の血管内移植片。
【請求項３】
前記少なくとも一つの逆棘は、該逆棘が延びる支柱の長手軸線に対して約１０°から約４５°の仰角を有する請求項２に記載の血管内移植片。
【請求項４】
前記少なくとも一つの逆棘は、該逆棘が延びる支柱の長手軸線に対して約５°から約７０°の反跳角度を有する請求項２に記載の血管内移植片。
【請求項５】
前記少なくとも一つの逆棘は約１ｍｍから約５ｍｍの長さを有する請求項１に記載の血管内移植片。
【請求項６】
前記半径方向に拡開可能なステントは自己拡開式ステントである請求項１に記載の血管内移植片。
【請求項７】
前記自己拡開式ステントは超弾性合金からなる請求項６に記載の血管内移植片。
【請求項８】
前記超弾性合金はニチノール（登録商標）である請求項７に記載の血管内移植片。
【請求項９】
さらに、前記移植片本体区画に固定されたコネクタ部材を備え、該コネクタ部材は蛇行リング構造であって、近位側ステントに連結されている、請求項１に記載の血管内移植片。
【請求項１０】
前記筒状の移植片本体区画はさらに、少なくとも一つの膨張可能チャネルを備える請求項１に記載の血管内移植片。
【請求項１１】
前記筒状の移植片本体区画はさらに、少なくとも一つの膨張可能な環状部を備える請求項１に記載の血管内移植片。
【請求項１２】
前記移植片本体区画はｅＰＴＦＥからなる、請求項１に記載の血管内移植片。
【請求項１３】
前記少なくとも一つの遠位方向に配向された逆棘は組織を貫通する鋭角的先端を有する請求項１に記載の血管内移植片。
【請求項１４】
前記近位側頂点は湾曲した外側面および湾曲した内側面を備え、これら外側面および内側面の両方は円形の曲率半径を有し、前記外側面の曲率半径は前記内側面の曲率半径よりも大きいようにした請求項１に記載の血管内移植片。
【請求項１５】
前記円形の曲率半径は共通の中心点を有する請求項１４に記載の血管内移植片。
【請求項１６】
前記円形の曲率半径は、最大で約０．７６ｍｍ（０．０３インチ）の距離だけ互いにオフセットしている中心点を有する請求項１４に記載の血管内移植片。
【請求項１７】
前記移植片本体区画は二分岐移植片本体区画である請求項１に記載の血管内移植片。
【請求項１８】
前記ステント全体は、単一部材の材料より形成される請求項１に記載の血管内移植片。
【請求項１９】
前記ステント全体はニチノール（登録商標）からなるモノリシックな材料片から形成される請求項１８に記載の血管内移植片。
【請求項２０】
移植片本体区画と、
該移植片本体区画から延びる半径方向に拡開可能なステントとを含み、該ステントは、近位端部と、遠位端部と、複数の支柱および頂点を備えるよう形成された蛇行リングとを有しており、
さらに、
隣接する近位側頂点から遠位に在る支柱の位置から遠位に延びる前記支柱の延長部として一体的に形成された少なくとも一つの逆棘を含む、血管内移植片。
【請求項２１】
前記少なくとも一つの逆棘は、該逆棘が延びる支柱の長手軸線に対して約１０°から約４５°の仰角を有する請求項２０に記載の血管内移植片。
【請求項２２】
前記少なくとも一つの逆棘は、該逆棘が延びる支柱の長手軸線に対して約５°から約７０°の反跳角度を有する請求項２０に記載の血管内移植片。
【請求項２３】
近位端部と、遠位端部と、複数の支柱および頂点を備えるよう形成された蛇行リングと、隣接する近位側頂点から遠位に在る支柱の位置から遠位に延びる前記各支柱の延長部として一体的に形成された逆棘と、を含む半径方向に拡開可能なステント。
【請求項２４】
移植片本体区画と、
該移植片本体区画から延びる半径方向に拡開可能なステントとを含み、該ステントは、近位端部と、遠位端部と、複数の近位側頂点と、複数の遠位側頂点とを有し、前記近位側頂点は湾曲した外側面および湾曲した内側面を備え、これら外側面および内側面の両方は円形の曲率半径を有する、血管内移植片。
【請求項２５】
前記円形の曲率半径は共通の中心点を有する請求項２４に記載の血管内移植片。
【請求項２６】
前記円形の曲率半径は、互いにオフセットしている中心点を有する請求項２４に記載の血管内移植片。
【請求項２７】
前記移植片本体区画は二分岐移植片本体区画である請求項２４に記載の血管内移植片。
【請求項２８】
前記ステントは、少なくとも一つの遠位方向に配向された逆棘を具備し、該逆棘は支柱と一体的に形成されており、前記逆棘は、隣接する近位側頂点から遠位に在る支柱の位置から遠位に延びている請求項２４に記載の血管内移植片。
【請求項２９】
患者の血管系を治療する治療方法において、
血管内移植片を準備し、該血管内移植片は、移植片本体区画と、該移植片本体区画から延びる半径方向に拡開可能なステントとを含み、該ステントは、近位端部と、遠位端部と、複数の支柱および頂点を備えるよう形成された蛇行リングとを有しており、さらに、隣接する近位側頂点から遠位に在る前記支柱の位置から遠位に延びる各支柱の延長部として一体的に形成された少なくとも一つの逆棘を含んでおり、
さらに、
前記移植片を患者の体内の治療部位まで供給し、
前記移植片を前記治療部位にて拡開し、それにより、前記一体的に形成された逆棘は、該逆棘が拡開されるルーメンの軸線に対してほぼ平行に遠位に延びて、前記血管内移植片が拡開される身体通路に部分的に貫通すると共に、遠位方向を向いた血液流れのために前記血管内移植片が軸方向に移動するのを防止する、治療方法。
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
遊技者による遊技操作に応じて抽選を行い、該抽選に当選すると遊技者に特典を付与する遊技機であって、 前記抽選の当選確率は、３個以上の所定値のうちのいずれかの値をとるものであって、 所定の入力手段からの入力に応じて、当選確率を現在の当選確率から前記３個以上の所定値のうちのいずれかに設定する確率設定手段を備え、 該確率設定手段は、予め前記当選確率の設定値の変更順序を段階的にみて不規則に定められた変更パターンを有し、 前記入力手段からの入力がなされたとき、前記変更パターンにより定められた変更順序にしたがって前記設定値を設定することを特徴とする遊技機。
【手続補正書】
【提出日】平成21年1月7日(2009.1.7)
【手続補正１】
【補正対象書類名】明細書
【補正対象項目名】００１９
【補正方法】変更
【補正の内容】
【００１９】
運動センサ部１２は、ユーザの運動情報を検出する。運動情報とは、ユーザの静止／歩行／走行の各状態を示す情報や、運動状態（揺れ、跳躍、歩行／走行のリズム、重心等）を示す情報、或いはユーザの身体要素である頭、腕、足、手、指などの動きを示す情報などである。
これらの運動情報は、加速度センサ、ジャイロ（角速度センサ）、振動センサなどを用いることで検出可能となる。即ち加速度センサやジャイロを備えることで、ユーザの動きに応じた信号として、例えば全身の動き、頭部の動き、首の動き、腕部の動き、脚部の動きなどを検出することができる。もちろん腕部の動き、脚部の動きなどを検出する場合は、加速度センサやジャイロがユーザの腕部や脚部に装着されるようにすればよい。
運動センサ部１２は、これら加速度センサ等による検出結果情報をシステムコントローラ１０に出力する。
【手続補正２】
【補正対象書類名】明細書
【補正対象項目名】００２８
【補正方法】変更
【補正の内容】
【００２８】
図２は、生体運動情報検出表示装置１を、検出装置部２と表示装置部３という別体のユニットで構成した例である。
検出装置部２は、生体センサ部１１と、運動センサ部１２と、検出情報送信部１９を有する。
また表示装置部３は、システムコントローラ１０、位置検出部１３、表示部１４、日時計数部１５、操作部１６、記憶部１７、通信部１８に加え、検出情報受信部２０を備える。
検出情報受信部２０と検出情報送信部１９は、例えば無線通信或いは有線通信で互いに通信を行う。無線通信とする場合、例えばブルートゥース等の近距離無線通信方式を採用してもよいし、可視光又は非可視光などを用いた光パルス変調でデータ通信を行う光通信方式でもよい。もちろんより長距離に対応した無線通信方式やネットワーク通信を用いてもよい。
そしてこの図２の場合、生体センサ部１１で検出される生体情報及び運動センサ部１２で検出される運動情報は、検出情報送信部１９から送信され、検出情報受信部２０で受信される。
システムコントローラ１０は、検出情報受信部２０で受信された生体情報、運動情報に基づいて、キャラクタ画像の表示制御を行うことになる。
【手続補正３】
【補正対象書類名】明細書
【補正対象項目名】００５９
【補正方法】変更
【補正の内容】
【００５９】
通信部１１８は外部通信機器との間でのデータの送受信を行う。特には、図９のシステム構成の場合、通信部１１８はネットワーク６０を介した通信として、サーバ装置７０との間でのデータ通信を行う。この場合、通信部１１８は、有線又は無線でネットワーク接続されて通信を行うものであればよい。例えばネットワークアクセスポイントとの間で無線通信を行う構成が考えられる。
【手続補正４】
【補正対象書類名】明細書
【補正対象項目名】００６１
【補正方法】変更
【補正の内容】
【００６１】
このような生体運動情報送信装置１００では、検出／送信コントローラ１１０は、例えば定期的に生体センサ部１１１、運動センサ部１１２、位置検出部１１３、日時計数部１１５で検出されるユーザの生体情報、運動情報、位置情報、及び検出時点の日時情報を記憶部１１７に記憶する。そして記憶部１１７に取り込んだ生体情報、運動情報、位置情報、日時情報を用いて送信データを生成し、通信部１１８からネットワーク６０を介してサーバ装置７０に送信させる。この場合、送信データには、生体情報、運動情報、位置情報、日時情報だけでなく、ユーザＩＤや装置ＩＤ等を含むようにもする。
【手続補正５】
【補正対象書類名】明細書
【補正対象項目名】００７１
【補正方法】変更
【補正の内容】
【００７１】
なお、サーバ装置７０側で、生体情報／運動情報から判断されるユーザ状況に基づいて表示させるキャラクタ画像を決定する場合においては、サーバ装置７０は表示させるキャラクタ画像データ自体を送信するのではなく、表示させるキャラクタ画像を指定する情報や、表示させるキャラクタの表情や動作を指定する情報を生体運動情報表示装置２００に送信するようにしてもよい。
その場合、生体運動情報表示装置２００には、受信した情報に基づいて、キャラクタ画像を選択して表示処理を行うことになるため、キャラクタ情報格納部２１７ａを備えた図１３の構成が適切となる。
【手続補正６】
【補正対象書類名】明細書
【補正対象項目名】００８５
【補正方法】変更
【補正の内容】
【００８５】
まず図１６の処理例を説明する。
生体運動情報表示装置２００のユーザは、他人（例えば知人）の現在の状況を知りたいと考えた場合、その他人のユーザＩＤ（又は装置ＩＤ）を指定する操作を行って、サーバアクセスを指示する。例えば他人のユーザＩＤを知っていれば、そのユーザＩＤを指定することで、その他人の状況の表示を求める操作を行うことができる。
ユーザがこのような操作を行うことに応じて、生体運動情報表示装置２００は他人の状況のキャラクタ表示を実行するため、図１６の処理を行う。
まずステップＦ６０１としてサーバ装置７０と通信接続を行う。システムコントローラ２０１は、通信部２１８からネットワーク通信を開始させ、サーバ装置７０に通信接続を実行させる。またこのとき、サーバ装置７０側ではステップＦ５０１として、サーバ制御部７２は、通信部７３での通信接続処理を行うとともに、認証処理を行う。この場合も認証処理の手法は多様に考えられるが、例えば生体運動情報表示装置２００側からそのユーザ自身のユーザＩＤや装置ＩＤを送信し、サーバ装置７０側でユーザＩＤや装置ＩＤの確認を行うといった手法が考えられる。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
基材上に細胞接着性良好領域と細胞接着性阻害領域がパターン化された細胞接着性変化パターンを有し、該細胞接着性良好領域の水接触角が１０〜４０°である細胞配列用基材において、該細胞接着性変化パターンの細胞接着性良好領域に細胞が接着された細胞接着基材であって、細胞培養用基材に細胞を転写するためのものである前記細胞接着基材。
【請求項２】
細胞培養用基材が細胞外基質を含む細胞培養層を有する、請求項１記載の細胞接着基材。
【請求項３】
細胞接着性変化パターンが、フルオロアルキルシランを含有する細胞接着性変化層にエネルギー照射することによって光触媒の作用により細胞接着性を変化させて形成させたものである、請求項１または２記載の細胞接着基材。
【請求項４】
細胞接着性変化層が、光触媒及びフルオロアルキルシランを含有する光触媒含有細胞接着性変化層である、請求項３記載の細胞接着基材。
【請求項５】
細胞接着性変化層が、光触媒を含有する光触媒処理層と、該光触媒処理層上に形成されたフルオロアルキルシランを含有する細胞接着性変化材料層とを有する、請求項３記載の細胞接着基材。
【請求項６】
細胞接着性変化パターンが、フルオロアルキルシランを含有する細胞接着性変化層と光触媒を含有する光触媒含有層とを対向するように配置した後、エネルギー照射することにより形成される、請求項３記載の細胞接着基材。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
本体と、
塵埃を含む空気を前記本体の外から内部に流入させるための流通路と、
前記流通路に接続するように前記本体内に配置され、前記流通路に吸気を発生させる送風機と、
前記流通路に配置され、前記送風機によって発生した吸気から塵埃を分離して捕集する集塵部と、
水を霧状にして、前記集塵部が配置される位置よりも上流側の前記流通路に、平均粒子径が５０μｍ以下の水粒子を供給する水粒子供給部とを備える、集塵装置。
【請求項２】
塵埃の量を検知する塵埃量検知部をさらに備え、
前記塵埃量検知部は、検知された塵埃の量に基づいて、前記水粒子供給部が供給する水の量を決定する、請求項１に記載の集塵装置。
【請求項３】
前記集塵部が配置される位置よりも下流側に配置され、気流に含まれる水分の量を検出することにより乾燥状態を検知する乾燥状態検知部をさらに備え、
前記水粒子供給部が水粒子を供給した後、前記乾燥状態検知部が乾燥状態を検知するまでの間、前記水粒子供給部による水粒子の供給を停止する、請求項１または２に記載の集塵装置。
【手続補正書】
【提出日】平成21年3月31日(2009.3.31)
【手続補正１】
【補正対象書類名】明細書
【補正対象項目名】００１１
【補正方法】変更
【補正の内容】
【００１１】
また、特開２００５−２８０２１２号公報には、新品の状態ではカートリッジ本体とリボン・ガイドとを係合させてあり、印刷装置への装着時にも両者を係合させた状態でリボン・ガイドを印刷装置の所定の場所に装着することによりリボンがねじれないようにした、リボン・カートリッジについての発明が記載されている。
【手続補正２】
【補正対象書類名】明細書
【補正対象項目名】００１３
【補正方法】変更
【補正の内容】
【００１３】
このように、従来より使用されているリボン・カートリッジにはインク・リボンのねじれの問題が常に存在しており、マニュアルで印刷装置からリボン・ガイド等を着脱する際に、インク・リボンのねじれが起こらないように作業員が十分注意して対応せざるを得ないのが現状である。
【特許文献１】特開２００５−２８０２１２号公報
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
気体浄化材を含む溶液に被処理対象気体を接触させて被処理対象気体中から被処理対象化合物を除去する気体浄化方法において、
前記気体浄化材は、アミノ基と結合した炭化水素を含む第一骨格部と、ヒドロキシ基と結合した炭化水素を含む第二骨格部とが酸素によって架橋されて構成された部分を含む有機化合物であり、
前記被処理対象化合物は、アルデヒド基を含み、揮発性を有する有機化合物であり、
前記気体浄化材のアミノ基と前記被処理対象化合物のアルデヒド基とが反応をすることによって被処理対象気体中から前記被処理対象化合物を除去する、気体浄化方法。
【請求項２】
気体浄化材と水とを含む溶液を収容し、被処理対象化合物を含む被処理対象気体と前記溶液とを混合するための気液混合槽を備え、
前記気体浄化材は、アミノ基と結合した炭化水素を含む第一骨格部と、ヒドロキシ基と結合した炭化水素を含む第二骨格部とが酸素によって架橋されて構成された部分を含む有機化合物であり、
前記被処理対象化合物は、アルデヒド基を含み、揮発性を有する有機化合物であり、
前記気液混合槽は、前記溶液と前記被処理対象気体とを接触させて、前記気体浄化材のアミノ基と前記被処理対象化合物のアルデヒド基とを反応させることによって前記被処理対象気体中から前記被処理対象化合物を除去し、前記被処理対象化合物を前記溶液中に取り込むことが可能であるように構成されている、気体浄化装置。
【請求項３】
前記気液混合槽内の前記溶液を蒸発させるための蒸発手段を備える、請求項２に記載の気体浄化装置。
【誤訳訂正書】
【提出日】平成21年8月13日(2009.8.13)
【誤訳訂正１】
【訂正対象書類名】明細書
【訂正対象項目名】０００３
【訂正方法】変更
【訂正の内容】
【０００３】
フォーカシングシステムは、それらの性能が複数の地上領域をカバーすることを可能にするので、日常的に宇宙で使用される。しかしながら、複数のスポットとしても知られる隣接したカバレージの規則的格子を、各々が１つのスポットアクセスを規定するマルチ受動的ソースのアレイに組み合わされた１つの反射アンテナで発生することは不可能である。受動的焦点アレイのこの種のソースは２つの相反する制約条件を満たさなければならない。すなわち、
−ソースの最大サイズは焦点アレイのメッシュによって制限され、かつ直接的にスポット間の間隔によって決まり、かつ、
−その最大サイズは不充分であって、反射器が具合良く照射を受けず、照射収率は極めて高い漏出損失によって影響を受け、必要なアンテナ利得の点で必要な仕様を満たすことはない。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
第１の面と第２の面、該第１の面から該第２の面に延びる開口とを有するサポート部材と、
該サポート部材の該第１の面に取り外し可能に密封係合された第１のシートと、
該サポート部材の該第２の面に密封係合された第２のシートと、
を有し、
サポート部材の開口が、コンタクトレンズを、その表面及び裏面の一方を該第１のシートに面するようにし、他方を該第２のシートに面するようにして収納するようにしたコンタクトレンズのパッケージ。
【請求項２】
第１の面と第２の面、該第１の面から該第２の面に延びる開口とを有するサポート部材と、
該サポート部材の該第１の面に取り外し可能に密封係合された第１のシートと、
該サポート部材の該第２の面に密封係合された第２のシートと、
サポート部材の開口内に収納されたコンタクトレンズであって、その表面及び裏面の一方を該第１のシートに面するようされ、他方を該第２のシートに面するようにされているコンタクトレンズと、
を有するコンタクトレンズのパッケージ。
【請求項３】
該第１及び第２のシートの間の間隔が、それらの間に収納されたコンタクトレンズの向きが変わるのを阻止するような間隔とされている請求項１又は２に記載のコンタクトレンズのパッケージ。
【請求項４】
該第１及び第２のシートの間の間隔が、コンタクトレンズが平衡状態にある時のコンタクトレンズの周縁部に対する湾曲外表面の高さより小さく、第１及び第２のシート間のコンタクトレンズが該第１及び第２のシートによって押圧されて弾性的に平たくされるようになされている請求項１又は２に記載のコンタクトレンズのパッケージ。
【請求項５】
該開口内でコンタクトレンズと該第２のシートとの間に配置されたスプリングディスクを有し、該コンタクトレンズ及びスプリングディスクが該第１及び第２のシートにより押圧されて弾性的に平たくされるようにされている請求項１又は２に記載のコンタクトレンズのパッケージ。
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
電子メールの内容を表示する表示手段と、
受信した電子メールの重要度を判別するための判別条件を記憶する記憶手段と  、
電子メールを受信すると、前記判別条件に基づいて前記電子メールの重要度  を判別し、重要度の高い電子メールであると判別すると、自動的に前記電子メ  ールを開封しその内容を前記表示手段に表示させる制御手段と、を有すること  を特徴とする通信装置。
【請求項２】
前記記憶手段には特定人の電子メールアドレスが記憶され、
前記制御手段は、受信した電子メールの送信者の電子メールアドレスが前記  記憶手段に記憶された特定人の前記電子メールアドレスと一致すると判断した  場合に、自動的に前記電子メールを開封しその内容を前記表示手段に表示させ  ることを特徴とする請求項１に記載の通信装置。
【請求項３】
受信した電子メールの重要度を判別するための判別条件に基づ  いて前記電子メールの重要度を制御手段に判別させる判別工程と、
前記判別工程で判別された重要度の高い前記電子メールを前記制御手段によ  り前記電子メールの受信後直ちに開封しその内容を表示手段に表示させる制御  工程と、を有することを特徴とする電子メール内容表示方法。
【請求項４】
前記判別工程において前記電子メールの送信者の電子メールア  ドレスが特定人の電子メールアドレスと一致すると前記制御手段が判断した場  合に、前記制御工程において前記制御手段により前記電子メールを開封しその  内容を前記表示手段に表示させることを特徴とする請求項３に記載の電子メー  ル内容表示方法。
【手続補正２】
【補正対象書類名】明細書
【補正対象項目名】発明の名称
【補正方法】変更
【補正の内容】
【発明の名称】通信装置及び電子メール内容表示方法
【手続補正３】
【補正対象書類名】明細書
【補正対象項目名】０００１
【補正方法】変更
【補正の内容】
【０００１】
本発明は、電子メールの送受信が可能な通信装置（例えば携帯電話装置）に関するものであり、特に重要なメールを受信後直ちに表示できる通信装置及び電子メール内容表示方法に関する。
【手続補正４】
【補正対象書類名】明細書
【補正対象項目名】０００６
【補正方法】変更
【補正の内容】
【０００６】
請求項１に記載の発明は、電子メールの内容を表示する表示手段と、受信した電子メールの重要度を判別するための判別条件を記憶する記憶手段と、電子メールを受信すると、前記判別条件に基づいて前記電子メールの重要度を判別し、重要度の高い電子メールであると判別すると、自動的に前記電子メールを開封しその内容を前記表示手段に表示させる制御手段と、を有することを特徴とする。
【手続補正５】
【補正対象書類名】明細書
【補正対象項目名】０００８
【補正方法】変更
【補正の内容】
【０００８】
請求項２に記載の発明は、前記記憶手段には特定人の電子メールアドレスが記憶され、前記制御手段は、受信した電子メールの送信者の電子メールアドレスが前記記憶手段に記憶された特定人の前記電子メールアドレスと一致すると判断した場合に、自動的に前記電子メールを開封しその内容を前記表示手段に表示させることを特徴とする。
【手続補正書】
【提出日】平成21年2月12日(2009.2.12)
【手続補正１】
【補正対象書類名】特許請求の範囲
【補正対象項目名】請求項１
【補正方法】変更
【補正の内容】
【請求項１】
生物を灰化して抽出した多種類の水溶性ミネラルよりなり、油脂類に添加することにより油脂の酸化を抑制する脂質酸化抑制剤。
【手続補正２】
【補正対象書類名】明細書
【補正対象項目名】０００６
【補正方法】変更
【補正の内容】
【０００６】
上記課題を解決するための本発明の脂質酸化抑制剤は、第１に、生物を灰化して抽出した多種類の水溶性ミネラルよりなり、油脂類に添加することにより油脂の酸化を抑制することを特徴としている。
【手続補正３】
【補正対象書類名】明細書
【補正対象項目名】００１２
【補正方法】変更
【補正の内容】
【００１２】
魚介類等の動物や海草・海藻類，陸上の植物を灰化して多種類のミネラルを抽出する方法は、古くから特開昭５１−１２１５６２号，特公昭６１−８７２１号，特公平６−９２２７３号等に示される方法が知られている。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
コンクリートスラブを含む支持層の表面をセルフレベリング工法等で平坦かつ平滑に調整した調整面を形成した後、この調整面上にシート状の基盤材の少なくとも片面に粘着材を均等に塗布した粘着シートを敷設し、この粘着シートからなる粘着層上にタイルを敷き詰めるに当たって、タイル間の目地の中心に合わせて前記粘着層より剛性が高い材料からなる網目状のタイル裏目地補強テープを前記粘着層に埋設又は後付して敷設することを特徴とするタイル敷設工法。
【請求項２】
前記粘着シートの上面すなわちタイルの裏面に相対する面に、多数の孔を設けた孔開きシートを添着してなる請求項1記載のタイル敷設工法。
【請求項３】
前記タイル裏目地テープを前記粘着シートの全面に敷設してなる請求項1、2のいずれかに記載のタイル敷設工法。
【請求項４】
コンクリートスラブを含む支持層の表面をセルフレベリング工法等で平坦かつ平滑に調整した調整層の上に、基盤材の少なくとも片面に粘着材を均等に塗布した粘着シートからなる粘着層上に、敷設されたタイル間に形成される目地を中心にして網目状のタイル裏目地補強テープを前記粘着層に埋設又は後付してなるタイル敷設構造。
【請求項５】
前記粘着シートの粘着材の上面に孔開き離形シートを添着し、もってタイル交換時のタイルの離形を容易にしてなる請求項4記載の散る敷設構造。
【請求項６】
前記タイル裏目地補強テープを粘着層より剛性が高い材料としてなる請求項4記載のタイル敷設構造。
【手続補正２】
【補正対象書類名】明細書
【補正対象項目名】０００３
【補正方法】変更
【補正の内容】
【０００３】
前者、すなわち圧着工法は、タイルを接着剤でタイル支持層であるコンクリートスラブ上に接着する工法であって、この場合、タイル床の仕上がり、すなわち平坦度の良し悪しは、必然的にコンクリートスラブの平坦度と、タイルの厚さの均一性及び平面度から影響を受ける。これを図7に示す。
理解に便利なように、やや誇張した表現で表したこの図7（及び以下の各図にも共通）において、支持層Aに対してそれぞれのタイルBは恰も波を打ったような状態を呈し、これはタイルAが大判になった場合には、図8に示すように、その影響は更に拡大されることになる。
【手続補正３】
【補正対象書類名】明細書
【補正対象項目名】００１９
【補正方法】変更
【補正の内容】
【００１９】
この網目状のタイル裏目地補強テープ6としては、本実施例ではガラス繊維を2mm×2mmの網目状にした50mm幅のテープを使用しており、このテープ6はタイル4に作用する荷重を支持層1への粘着層3より先に伝達するものであって、粘着層3の網目の中に区画し、閉じ込めることによって、荷重による接着剤の平面方向の移動を抑制することができるものであり、区画が仕切られることにより、流動抵抗が高まり、区画内に閉じ込められるため、高さが維持され、タイル4、4間の段差の発生を抑制することができる。
【手続補正書】
【提出日】平成21年7月10日(2009.7.10)
【手続補正１】
【補正対象書類名】明細書
【補正対象項目名】０００２
【補正方法】変更
【補正の内容】
【０００２】
従来、回転軸に固定され強度を強くするための厚みのある頑丈なスパイダーと、このスパイダーの複数のブレード取付部にそれぞれ取り付けられた軽量なブレードと、各ブレードと前記ブレード取付部との重ね合わせ部分に取り付けられかつ当該重ね合わせ部分の輪郭形状を覆う大きさを有する補強板とを備えたプロペラファンであって、前記補強板の幅寸法は、前記回転半径方向内周部側では、その内周部と対応する位置の前記ブレード幅寸法と前記ブレード取付部の幅寸法との中間位置以下の大きさとされ、前記補強板の幅寸法は、前記回転半径方向外周部側では、その外周部と対応する位置の前記ブレード幅寸法の７０％以上の大きさとされ、ブレードに生じる応力を低減させているものがある（例えば、特許文献１参照）。
【手続補正書】
【提出日】平成21年11月5日(2009.11.5)
【手続補正１】
【補正対象書類名】明細書
【補正対象項目名】００２２
【補正方法】変更
【補正の内容】
【００２２】
図１（ｄ）に示すように、プラグ８は、外面８２、内面８３および左右の側面８４、８５によって規定される台形状断面をしている。プラグ８の台形状の上面は、その外面側の部分が内輪２の外周面２ａと同一の曲率の円弧状外周面８６となっており、その内面側の部分が内輪２の内輪軌道面２２と同一曲率の円弧状外周面からなるプラグ側軌道面８１となっている。このプラグ側軌道面８１は円弧状外周面８６に対して４５度の角度で下方に傾斜している。また、プラグ８には、その内面８３および外面８２の中心を貫通して延びているボルト挿入穴８７が形成されている。